(57)【特許請求の範囲】
【請求項１】
電力を消費して熱媒を加熱する電気式熱源機と、
不揮発性メモリを備える制御装置を備える熱源装置であって、
電力の供給状態が互いに異なる商用電源または蓄電池である電源から電力を供給されて動作するように構成されており、
制御装置は、電源からの電力供給がされている間、熱源装置への電力の供給状況を不揮発性メモリに記憶するように構成されており、
制御装置は、電源からの電力供給が停止された状態から、電源からの電力供給が開始された時に、不揮発性メモリに記憶されている電力の供給状況に基いて、再開された電力供給の電源が商用電源および蓄電池の何れであるかを判定するように構成されている、熱源装置。
【請求項２】
前記熱源装置への電力の供給状況が、熱源装置での消費電力を含む、請求項１の熱源装置。
【請求項３】
前記熱源装置への電力の供給状況が、熱源装置への電力供給の継続時間を含む、請求項１の熱源装置。
【請求項４】
制御装置は、再開された電力供給の電源が蓄電池であると判定されない場合に、熱源装置での消費電力を増強させるように構成されている、請求項１から３の何れか一項の熱源装置。
【請求項５】
燃料を消費して熱媒を加熱する燃料式熱源機をさらに備えており、
制御装置は、電源からの電力供給が停止された状態から、電源からの電力供給が開始された時に、燃料式熱源機による熱媒の加熱を実行して、燃料式熱源機への燃料の供給の有無を判定するように構成されている、請求項１から４の何れか一項の熱源装置。
【発明の詳細な説明】
【技術分野】
【０００１】
本明細書で開示する技術は、熱源装置に関する。
【背景技術】
【０００２】
特許文献１には、電力を消費して熱媒を加熱する電気式熱源機と、制御装置を備える熱源装置が開示されている。この熱源装置は、商用電源または蓄電池である電源から電力を供給されて動作するように構成されている。
【先行技術文献】
【特許文献】
【０００３】
【特許文献１】特開２０１３−８８０６０号公報
【発明の概要】
【発明が解決しようとする課題】
【０００４】
電源が商用電源である場合と、電源が蓄電池である場合とでは、それぞれの電源の特性に応じて、熱源装置の動作を異なるものとした方が好ましい。熱源装置において、電源が商用電源および蓄電池の何れであるかを自動的に判定することができれば、その判定結果に基いて熱源装置の動作を適正に行うことが可能となる。
【０００５】
本明細書では、上記の課題を解決する技術を提供する。本明細書では、商用電源または蓄電池である電源から電力を供給されて動作する熱源装置において、電源の種別を自動的に判定することが可能な技術を提供する。
【課題を解決するための手段】
【０００６】
本明細書は、電力を消費して熱媒を加熱する電気式熱源機と、不揮発性メモリを備える制御装置を備える熱源装置を開示する。熱源装置は、電力の供給状況が互いに異なる商用電源または蓄電池である電源から電力を供給されて動作するように構成されている。制御装置は、電源からの電力供給がされている間、熱源装置への電力の供給状況を不揮発性メモリに記憶するように構成されている。制御装置は、電源からの電力供給が停止された状態から、電源からの電力供給が開始された時に、不揮発性メモリに記憶されている電力の供給状況に基いて、再開された電力供給の電源が商用電源および蓄電池の何れであるかを判定するように構成されている。
【０００７】
電源が商用電源である場合と、電源が蓄電池である場合とでは、電力供給が停止される前の電力の供給状況は異なるものとなる。上記の熱源装置では、電源からの電力供給がされている間、熱源装置への電力の供給状況を不揮発性メモリに記憶する。そして、電源からの電力供給が停止して、その後に電源からの電力供給が再開されたときに、制御装置が不揮発性メモリに記憶されている電力の供給状況、すなわち電力供給が停止される前の電力の供給状況に基いて、再開された電力供給の電源が商用電源および蓄電池の何れであるかを判定する。上記の熱源装置によれば、再開された電力供給の電源が商用電源および蓄電池の何れであるかを自動的に判定することができる。
【０００８】
上記の熱源装置では、前記熱源装置への電力の供給状況が、熱源装置での消費電力を含んでいてもよい。
【０００９】
一般的な蓄電池には、放電する電力が上限放電電力以上になると、放電を遮断する保護回路が設けられている。このため、電源が蓄電池である場合には、熱源装置での消費電力が蓄電池の上限放電電力以上となると、電源からの電力供給が停止されることになる。逆に、電源が商用電源である場合には、熱源装置での消費電力が蓄電池の上限放電電力以上であっても、電源からの電力供給が停止されることはない。そこで、上記の熱源装置では、電源からの電力供給が停止する直前での熱源装置での消費電力に基いて、再開された電力供給の電源が商用電源および蓄電池の何れであるかを判定する。このような構成とすることによって、再開された電力供給の電源が商用電源および蓄電池の何れであるかを正確に判定することができる。
【００１０】
上記の熱源装置では、前記熱源装置への電力の供給状況が、熱源装置への電力供給の継続時間を含んでいてもよい。
【００１１】
一般的な蓄電池には、種々の条件のもとで放電を遮断する保護回路が設けられている。このため、電源が蓄電池である場合には、電源が商用電源である場合に比べて、電源からの電力供給が停止されやすい。そこで、上記の熱源装置では、電源からの電力供給が停止する直前までの電力供給の継続時間に基いて、再開された電力供給の電源が商用電源および蓄電池の何れであるかを判定する。このような構成とすることによって、再開された電力供給の電源が商用電源および蓄電池の何れであるかを正確に判定することができる。
【００１２】
上記の熱源装置は、制御装置が、再開された電力供給の電源が蓄電池であると判定されない場合に、熱源装置での消費電力を増強させるように構成されていてもよい。
【００１３】
熱源装置での消費電力が少ない状況では、電源として蓄電池が用いられている場合でも、蓄電池の保護回路が作動せずに、電源からの電力供給の停止がそれほど生じないことがある。このような場合には、電源からの電力供給が停止されるまでの熱源装置への電力の供給状況から、再開された電力供給の電源が商用電源および蓄電池の何れであるかを確実に判定することが困難となる。そこで、上記の熱源装置では、電源からの電力供給が開始された後、電源が蓄電池であると判定されない場合に、熱源装置での消費電力を増強させる。この場合、電源が蓄電池であれば、保護回路が作動して、電源からの電力供給が再び停止する。そして、その後に電源からの電力供給が再開されると、電源からの電力供給が停止するまでの熱源装置への電力の供給状況から、再開された電力供給の電源が蓄電池であると判定することができる。逆に、電源が商用電源であれば、熱源装置での消費電力を増強させても、電源からの電力供給が停止することはない。この場合、再開された電力供給の電源が商用電源であると判定することができる。上記の熱源装置によれば、再開された電力供給の電源が商用電源および蓄電池の何れであるかを確実に判定することができる。
【００１４】
上記の熱源装置は、燃料を消費して熱媒を加熱する燃料式熱源機をさらに備えており、制御装置は、電源からの電力供給が停止された状態から、電源からの電力供給が開始された時に、燃料式熱源機による熱媒の加熱を実行して、燃料式熱源機への燃料の供給の有無を判定するように構成されていてもよい。
【００１５】
上記の熱源装置によれば、電源の種別の判定に加えて、燃料の供給の有無についても、自動的に判定することができる。
【図面の簡単な説明】
【００１６】
【図１】実施例に係る給湯システム２の構成を模式的に示す図。
【図２】実施例に係る給湯システム２のコントローラが電力供給の開始時に行う処理の例を示すフローチャート。
【図３】実施例に係る給湯システム２のコントローラが電力供給の開始時に行う処理の別の例を示すフローチャート。
【図４】実施例に係る給湯システム２のコントローラが電力供給の開始時に行う処理のさらに別の例を示すフローチャート。
【図５】実施例に係る給湯システム２のコントローラが電力供給の開始時に行う処理のさらに別の例を示すフローチャート。
【発明を実施するための形態】
【００１７】
（実施例）
図１に示すように、本実施例に係る給湯システム２は、ＨＰ（ヒートポンプ）ユニット４と、タンクユニット６と、バーナユニット８を備えている。
【００１８】
ＨＰユニット４は、外気から吸熱して水を加熱する熱源である。ＨＰユニット４は、圧縮機１０と、凝縮器１２と、膨張弁１４と、蒸発器１６を備えている。圧縮機１０は、冷媒を加圧して高温高圧にする。凝縮器１２は、水との熱交換により冷媒を冷却する。膨張弁１４は、冷媒を減圧して低温低圧にする。蒸発器１６は、外気との熱交換により冷媒を加熱する。ＨＰユニット４は、冷媒（例えばフロン系冷媒）を、圧縮機１０、凝縮器１２、膨張弁１４、蒸発器１６の順に循環させることで、外気から吸熱して水を加熱する。ＨＰユニット４はさらに、凝縮器１２に水を循環させる循環ポンプ１８と、凝縮器１２に流れ込む水の温度を検出する戻りサーミスタ２０と、凝縮器１２から流れ出る水の温度を検出する往きサーミスタ２２と、外気温度を検出する外気温度サーミスタ２３と、ＨＰユニット４の各構成要素の動作を制御するＨＰコントローラ２４を備えている。
【００１９】
タンクユニット６は、タンク３０と、混合弁３２と、バイパス制御弁３４を備えている。タンク３０は、外側が断熱材で覆われており、内部に水を蓄える密閉型の容器である。本実施例のタンク３０の容量は、例えば１００リットルである。ＨＰユニット４の循環ポンプ１８が駆動すると、タンク３０の底部から水が吸い出されて凝縮器１２へ送られる。凝縮器１２で加熱されて高温となった水は、タンク３０の頂部からタンク３０内に戻される。ＨＰユニット４によって加熱された水がタンク３０に流れ込むと、タンク３０の内部には、低温の水の層の上に高温の水の層が積み重なった温度成層が形成される。タンク３０には、上部の水の温度を検出する上部サーミスタ３６と、中間部の水の温度を検出する中間部サーミスタ３７と、下部の水の温度を検出する下部サーミスタ３８が取り付けられている。本実施例では、上部サーミスタ３６はタンク３０の頂部から６リットルの位置に配置されており、中間部サーミスタ３７はタンク３０の頂部から１２リットルの位置に配置されており、下部サーミスタ３８はタンク３０の頂部から３０リットルの位置に配置されている。
【００２０】
タンクユニット６には、給水経路４０を介して水道水が供給される。給水経路４０には、給水圧力を減圧する減圧弁４２と、給水温度を検出する入水サーミスタ４４が取り付けられている。給水経路４０は、タンク３０の底部に連通するタンク給水経路４６と、混合弁３２に連通するタンクバイパス経路４８に分岐している。タンク給水経路４６とタンクバイパス経路４８には、それぞれ逆止弁５０，５２が取り付けられている。また、タンクバイパス経路４８には、混合弁３２に流入する水道水の流量を検出する水側水量センサ５４が取り付けられている。タンク３０の頂部と混合弁３２は、タンク出湯経路５６を介して連通している。タンク出湯経路５６には、逆止弁５８と、混合弁３２に流入するタンク３０からの水の流量を検出する湯側水量センサ６０が取り付けられている。
【００２１】
混合弁３２は、タンクバイパス経路４８から流れ込む水道水と、タンク出湯経路５６から流れ込むタンク３０からの水を混合して、第１給湯経路６２に送り出す。混合弁３２は、ステッピングモータによって弁を駆動し、タンクバイパス経路４８側の開度（水側の開度）と、タンク出湯経路５６側の開度（湯側の開度）を調整する。第１給湯経路６２には、混合弁３２から送り出される水の温度を検出する混合サーミスタ６４が取り付けられている。
【００２２】
タンクユニット６からは、第２給湯経路６６を介して、台所やシャワー、カラン等の給湯箇所への給湯が行われる。第２給湯経路６６には、給湯箇所へ供給される水の温度を検出する給湯出口サーミスタ６８と、逆止弁７０が取り付けられている。第１給湯経路６２と第２給湯経路６６の間は、給湯バイパス経路７２によって連通している。給湯バイパス経路７２には、バイパス制御弁３４が取り付けられている。
【００２３】
タンクユニット６はさらに、タンクコントローラ７４と、タンクコントローラ７４と通信可能なリモコン７６を備えている。タンクコントローラ７４は、タンクユニット６の各構成要素の動作を制御する。タンクコントローラ７４は、不揮発性メモリ７５を備えている。リモコン７６は、スイッチやボタン等を介して、ユーザからの各種の操作入力を受け入れる。また、リモコン７６は、表示や音声によってユーザに給湯システム２の設定や動作に関する各種の情報を通知する。
【００２４】
バーナユニット８は、バーナ８０と、熱交換器８２と、バイパスサーボ８４と、水量サーボ８６と、湯はり弁８８を備えている。バーナ８０は、燃料ガスの燃焼によって熱交換器８２を流れる水を加熱する補助熱源機である。バーナ８０には、ガス供給管８１を介して燃料ガスが供給される。熱交換器８２には、バーナ往路９０を介して、タンクユニット６の第１給湯経路６２からの水が流れ込む。熱交換器８２を通過した水は、バーナ復路９２を介して、タンクユニット６の第２給湯経路６６へ流れ出る。バーナ往路９０には、バーナ往路９０を流れる水の流量を調整する水量サーボ８６と、バーナ往路９０を流れる水の流量を検出する水量センサ９１が取り付けられている。バーナ往路９０とバーナ復路９２の間は、バーナバイパス経路９４を介して連通している。バーナ往路９０とバーナバイパス経路９４の接続部に、バイパスサーボ８４が取り付けられている。バイパスサーボ８４は、バーナ往路９０からバーナバイパス経路９４へ流れる水の流量を調整する。バーナ復路９２には、熱交換器８２から流れ出る水の温度を検出するバーナ給湯サーミスタ９６が取り付けられている。バーナ復路９２からは、湯はり経路９８が分岐している。湯はり経路９８には、湯はり弁８８が取り付けられている。バーナユニット８からは、湯はり経路９８を介して、給湯箇所である浴槽への湯はりが行われる。バーナユニット８はさらに、バーナユニット８の各構成要素の動作を制御するバーナコントローラ１００を備えている。
【００２５】
給湯システム２のＨＰユニット４、タンクユニット６およびバーナユニット８には、電力供給ユニット９から電力が供給される。電力供給ユニット９は、分電盤１０２と、蓄電池１０４と、切替器１０６を備えている。分電盤１０２は、商用電源１０８に接続されており、商用電源１０８から供給される電力を切替器１０６と蓄電池１０４に分配して供給する。蓄電池１０４は、例えばリチウムイオン二次電池などの二次電池である。蓄電池１０４は、分電盤１０２を介して商用電源１０８から供給される電力を充電することもできるし、充電した電力を切替器１０６に放電することもできる。蓄電池１０４には、図示しない保護回路が内蔵されており、放電する電力が上限放電電力（例えば６５０Ｗ）以上になると、切替器１０６への放電が遮断される。切替器１０６は、分電盤１０２を介して商用電源１０８から供給される電力をＨＰユニット４、タンクユニット６およびバーナユニット８に供給する状態と、蓄電池１０４から供給される電力をＨＰユニット４、タンクユニット６およびバーナユニット８に供給する状態の間で切り替わる。商用電源１０８からの電力供給が正常に行われている状況では、切替器１０６は、分電盤１０２を介して商用電源１０８から供給される電力をＨＰユニット４、タンクユニット６およびバーナユニット８に供給する。商用電源１０８からの電力供給が正常に行われていない状況では、切替器１０６は、蓄電池１０４から供給される電力をＨＰユニット４、タンクユニット６およびバーナユニット８に供給する。
【００２６】
ＨＰコントローラ２４とタンクコントローラ７４は、互いに通信可能である。タンクコントローラ７４とバーナコントローラ１００は、互いに通信可能である。従って、ＨＰコントローラ２４と、タンクコントローラ７４と、バーナコントローラ１００が協調して制御を行うことで、給湯システム２は沸上げ運転や給湯運転等の各種の動作を行うことができる。また、タンクコントローラ７４は、電力供給ユニット９からの電力供給がされている間、電力供給ユニット９から給湯システム２への電力の供給状況を、不揮発性メモリ７５に記憶する。例えば、タンクコントローラ７４は、電力供給ユニット９からの電力供給がされている間、電力供給ユニット９からの電力供給の継続時間を、不揮発性メモリ７５に記憶する。この場合、電力供給ユニット９からの電力供給が停止し、その後に電力供給ユニット９からの電力供給が再開されると、不揮発性メモリ７５には、電力供給ユニット９からの電力供給が停止する直前までの、電力供給ユニット９からの電力供給の継続時間が記憶されていることになる。および／または、タンクコントローラ７４は、電力供給ユニット９からの電力供給がされている間、給湯システム２における消費電力を、不揮発性メモリ７５に記憶する。この場合、電力供給ユニット９からの電力供給が停止し、その後に電力供給ユニット９からの電力供給が再開されると、不揮発性メモリ７５には、電力供給ユニット９からの電力供給が停止する直前での、給湯システム２における消費電力が記憶されていることになる。なお、給湯システム２における消費電力の大半はＨＰユニット４における消費電力であるから、タンクコントローラ７４は、電力供給ユニット９からの電力供給がされている間、給湯システム２における消費電力の代わりに、ＨＰユニット４における消費電力を、不揮発性メモリ７５に記憶するように構成してもよい。以下では、ＨＰコントローラ２４と、タンクコントローラ７４と、バーナコントローラ１００を総称して、単にコントローラとも呼ぶ。
【００２７】
以下では、給湯システム２が行う沸上げ運転および給湯運転について説明する。
【００２８】
沸上げ運転では、給湯システム２は、ＨＰユニット４を駆動して、タンク３０内の水を沸かし上げる。沸上げ運転を開始するタイミングは、様々な観点から設定することが可能である。例えば、割安な深夜電力を利用可能な時間帯が終了する直前に、タンク３０内の水の沸かし上げが終了するように、コントローラが沸上げ運転の開始タイミングを決定してもよい。あるいは、前日までの給湯実績に基いて、大きな給湯需要の発生が予想される時刻の直前に、タンク３０の水の沸かし上げが終了するように、コントローラが沸上げ運転の開始タイミングを決定してもよい。あるいは、ユーザがリモコン７６を介してタンク３０の水の沸かし上げを指示することで、コントローラが沸上げ運転を開始してもよい。
【００２９】
沸上げ運転が開始されると、コントローラは、圧縮機１０を駆動して、圧縮機１０、凝縮器１２、膨張弁１４、蒸発器１６の順に冷媒を循環させるとともに、循環ポンプ１８を駆動して、タンク３０と凝縮器１２の間で水を循環させる。これによって、タンク３０の底部から吸い出された水は、凝縮器１２において沸上げ温度まで加熱されて、タンク３０の頂部に戻される。タンク３０内の水が全て沸上げ温度まで加熱された水で置き換えられると、コントローラは沸上げ運転を終了する。
【００３０】
給湯運転では、給湯設定温度の水を給湯箇所へ供給する。コントローラは、水側水量センサ５４で検出される流量と、湯側水量センサ６０で検出される流量を合算した流量（給湯流量ともいう）が最低動作流量（例えば２．４Ｌ／分）以上となると、給湯箇所の開栓や浴槽への湯はりなどにより給湯が開始されたものと判断する。そして、コントローラは、上部サーミスタ３６で検出される温度に応じて、以下の非燃焼給湯運転または燃焼給湯運転を実行する。
【００３１】
上部サーミスタ３６で検出される温度が給湯設定温度以上である場合、コントローラは、非燃焼給湯運転を実行する。非燃焼給湯運転では、コントローラは、バーナ８０の燃焼運転を禁止するとともに、混合サーミスタ６４で検出される温度が給湯設定温度となるように、混合弁３２の開度を調整する。これによって、給湯箇所に給湯設定温度に温度調整された水が供給される。
【００３２】
上部サーミスタ３６で検出される温度が給湯設定温度未満の場合、コントローラは、燃焼給湯運転を実行する。燃焼給湯運転では、コントローラは、バーナ８０の燃焼運転を許可するとともに、混合サーミスタ６４で検出される温度が、給湯設定温度よりもバーナ８０の最小加熱能力の分だけ低い温度となるように、混合弁３２の開度を調整する。この場合、タンク３０の上部から供給される高温の水と、給水経路４０から供給される低温の水が、混合弁３２において混合された後、バーナ８０によって給湯設定温度まで加熱されて、給湯箇所へ供給される。
【００３３】
上記の非燃焼給湯運転または燃焼給湯運転を実行中に、給湯流量が最低動作流量を下回ると、コントローラは、給湯箇所の閉栓や浴槽への湯はりの終了などにより給湯が終了したものと判断して、給湯運転を終了する。
【００３４】
（電力供給開始時の動作）
電力供給ユニット９からの電力供給が停止した状態から、電力供給ユニット９からの電力供給が開始されると、コントローラは、図２に示す処理を実行する。
【００３５】
ステップＳ２では、コントローラは、不揮発性メモリ７５から、電力供給ユニット９からの電力供給が停止する直前までの電力供給の継続時間（通電継続時間ともいう）を読み出す。
【００３６】
ステップＳ４では、コントローラは、不揮発性メモリ７５から取得した通電継続時間が所定時間（例えば２４時間）以上であるか否かを判断する。仮に、電力供給ユニット９から給湯システム２に供給される電力の供給元が商用電源１０８である場合、それほど頻繁に電力供給ユニット９からの電力供給が停止することは考えにくい。逆に、電力供給ユニット９から給湯システム２に供給される電力の供給元が蓄電池１０４である場合、蓄電池１０４の保護回路の作動によって、電力供給ユニット９からの電力供給はしばしば停止するものと考えられる。そこで、本実施例の給湯システム２では、不揮発性メモリ７５から取得した通電継続時間が所定時間に満たない場合に、電力供給ユニット９から給湯システム２に供給される電力の供給元が蓄電池１０４であると判断する。また、不揮発性メモリ７５から取得した通電継続時間が所定時間以上の場合に、電力供給ユニット９から給湯システム２に供給される電力の供給元が商用電源１０８であると判断する。
【００３７】
ステップＳ４において、通電継続時間が所定時間以上の場合（ＹＥＳの場合）、処理はステップＳ６へ進む。ステップＳ６では、コントローラは、給湯システム２における非燃焼給湯運転を禁止する。従って、これ以降に給湯システム２が給湯を行う際には、タンク３０に貯えられた水の温度に関わらず、給湯システム２は燃焼給湯運転を実行する。
【００３８】
ステップＳ８では、コントローラは、バーナ８０への燃料ガスの供給が行われているか否かを判断する。具体的には、コントローラは、燃焼給湯運転において、バーナ８０の燃焼が正常に行われた場合に、バーナ８０への燃料ガスの供給が行われていると判断する。逆に、コントローラは、燃焼給湯運転において、バーナ８０の燃焼が正常に行われない場合に、バーナ８０への燃料ガスの供給が行われていないと判断する。
【００３９】
ステップＳ８で、バーナ８０への燃料ガスの供給が行われている場合（ＹＥＳの場合）、処理はステップＳ１０へ進む。ステップＳ１０の処理を実行する時点では、商用電源１０８からの電力供給が正常に行われており、かつガス供給管８１からの燃料ガス供給も正常に行われていると考えられる。そこで、ステップＳ１０では、コントローラは、給湯システム２における非燃焼給湯運転を許可する。従って、これ以降に給湯システム２が給湯を行う際には、給湯システム２は、タンク３０に貯えられた水の温度に応じて、非燃焼給湯運転または燃焼給湯運転を実行する。ステップＳ１０の後、コントローラは、図２の処理を終了し、通常通りの動作を行う。
【００４０】
ステップＳ８で、バーナ８０への燃料ガスの供給が行われていない場合（ＮＯの場合）、処理はステップＳ１２へ進む。ステップＳ１２の処理を実行する時点では、商用電源１０８からの電力供給が正常に行われており、かつ燃料ガス供給源からの燃料ガス供給が正常に行われていないと考えられる。そこで、ステップＳ１２では、コントローラは、給湯システム２における非燃焼給湯運転を許可する。そして、ステップＳ１４では、コントローラは、給湯システム２における燃焼給湯運転を禁止する。従って、これ以降に給湯システム２が給湯を行う際には、給湯システム２は、タンク３０に貯えられた水の温度に関わらず、非燃焼給湯運転を実行する。
【００４１】
ステップＳ１６では、コントローラは、ＨＰユニット４の加熱能力を最大加熱能力に設定する。従って、これ以降に給湯システム２が沸き上げ運転を行う際には、ＨＰユニット４の最大加熱能力によって、タンク３０の水の沸かし上げが行われる。これによって、給湯システム２が燃焼給湯運転を禁止されている間に、タンク３０の蓄熱量が不足する事態を抑制することができる。
【００４２】
ステップＳ１８では、コントローラは、電力供給ユニット９からの電力供給が開始されてから所定時間（例えば２４時間）が経過するまで待機する。バーナ８０への燃料ガスの供給が正常に行われていない場合でも、電力供給ユニット９からの電力供給が開始されてから所定時間が経過すれば、ガス供給管８１からバーナ８０への燃料ガスの供給が復旧されていると考えられる。電力供給ユニット９からの電力供給が開始されてからの経過時間が所定時間に達すると（ステップＳ１８でＹＥＳとなると）、処理はステップＳ２０へ進む。
【００４３】
ステップＳ２０では、コントローラは、給湯システム２における燃焼給湯運転を許可する。従って、これ以降に給湯システム２が給湯を行う際には、給湯システム２は、タンク３０に貯えられた水の温度に応じて、非燃焼給湯運転または燃焼給湯運転を実行する。ステップＳ２０の後、コントローラは、図２の処理を終了し、通常通りの動作を行う。
【００４４】
ステップＳ４で、不揮発性メモリ７５から取得した通電継続時間が所定時間に満たない場合（ＮＯの場合）、処理はステップＳ２２へ進む。
【００４５】
ステップＳ２２では、コントローラは、給湯システム２における非燃焼給湯運転を禁止する。従って、これ以降に給湯システム２が給湯を行う際には、タンク３０に貯えられた水の温度に関わらず、給湯システム２は燃焼給湯運転を実行する。
【００４６】
ステップＳ２４では、コントローラは、バーナ８０への燃料ガスの供給が行われているか否かを判断する。具体的には、コントローラは、燃焼給湯運転において、バーナ８０の燃焼が正常に行われた場合に、バーナ８０への燃料ガスの供給が行われていると判断する。逆に、コントローラは、燃焼給湯運転において、バーナ８０の燃焼が正常に行われない場合に、バーナ８０への燃料ガスの供給が行われていないと判断する。
【００４７】
ステップＳ２４で、バーナ８０への燃料ガスの供給が行われている場合（ＹＥＳの場合）、処理はステップＳ２６へ進む。ステップＳ２６の処理を実行する時点では、商用電源１０８からの電力供給が正常に行われておらず、代わりに蓄電池１０４から電力供給が行われており、かつガス供給管８１からの燃料ガス供給は正常に行われていると考えられる。そこで、ステップＳ２６では、コントローラは、給湯システム２における沸き上げ運転を禁止する。これ以降は、給湯システム２は沸き上げ運転や非燃焼給湯運転を実行することなく、常に燃焼給湯運転によって給湯を行う。これによって、沸き上げ運転の実行により蓄電池１０４の電力を消費してしまう事態を抑制することができる。
【００４８】
ステップＳ２８では、コントローラは、電力供給ユニット９からの電力供給が開始されてから所定時間（例えば２４時間）が経過するまで待機する。電力供給ユニット９からの電力供給が開始されてから所定時間が経過した場合、商用電源１０８からの電力供給が復旧されていると判断する。電力供給ユニット９からの電力供給が開始されてからの経過時間が所定時間に達すると（ステップＳ２８でＹＥＳとなると）、処理はステップＳ３０へ進む。
【００４９】
ステップＳ３０では、コントローラは、給湯システム２における沸き上げ運転を許可する。そして、ステップＳ３２では、コントローラは、給湯システム２における非燃焼給湯運転を許可する。従って、これ以降に給湯システム２が給湯を行う際には、給湯システム２は、タンク３０に貯えられた水の温度に応じて、非燃焼給湯運転または燃焼給湯運転を実行する。ステップＳ３２の後、コントローラは、図２の処理を終了し、通常通りの動作を行う。
【００５０】
ステップＳ２４で、バーナ８０への燃料ガスの供給が行われていない場合（ＮＯの場合）、処理はステップＳ３４へ進む。ステップＳ３４の処理を実行する時点では、商用電源１０８からの電力供給が行われておらず、代わりに蓄電池１０４による電力供給が行われており、かつガス供給管８１からの燃料ガス供給が正常に行われていないと考えられる。そこで、ステップＳ３４では、コントローラは、給湯システム２における非燃焼給湯運転を許可する。そして、ステップＳ３６では、コントローラは、給湯システム２における燃焼給湯運転を禁止する。従って、これ以降に給湯システム２が給湯を行う際には、給湯システム２は、タンク３０に貯えられた水の温度に関わらず、非燃焼給湯運転を実行する。
【００５１】
ステップＳ４０では、コントローラは、ＨＰユニット４の加熱能力を、通常時の加熱能力よりも低い抑制加熱能力に設定する。従って、これ以降に給湯システム２が沸き上げ運転を行う際には、ＨＰユニット４の抑制された加熱能力によって、タンク３０の水の沸かし上げが行われる。これによって、給湯システム２による非燃焼給湯運転を実行可能としつつ、沸き上げ運転の実行により蓄電池１０４の電力を過剰に消費してしまう事態を抑制することができる。
【００５２】
ステップＳ４２では、コントローラは、電力供給ユニット９からの電力供給が開始されてから所定時間（例えば２４時間）が経過するまで待機する。本実施例の給湯システム２では、電力供給ユニット９からの電力供給が開始されてから所定時間が経過した場合、商用電源１０８からの電力供給と、ガス供給管８１からの燃料ガス供給が復旧されていると判断する。電力供給ユニット９からの電力供給が開始されてからの経過時間が所定時間に達すると（ステップＳ４２でＹＥＳとなると）、処理はステップＳ４４へ進む。
【００５３】
ステップＳ４４では、コントローラは、給湯システム２に燃焼給湯運転を許可する。従って、これ以降に給湯システム２が給湯を行う際には、給湯システム２は、タンク３０に貯えられた水の温度に応じて、非燃焼給湯運転または燃焼給湯運転を実行する。ステップＳ４４の後、コントローラは、図２の処理を終了し、通常通りの動作を行う。
【００５４】
コントローラは、図２に示す処理の代わりに、図３に示す処理を実行してもよい。図３に示す処理は、図２に示す処理とほぼ同様であるが、図２のステップＳ２、Ｓ４の処理の代わりに、図３のステップＳ４６、Ｓ４８の処理を実行する。
【００５５】
ステップＳ４６では、コントローラは、不揮発性メモリ７５から、電力供給ユニット９からの電力供給が停止する直前での給湯システム２での消費電力（直前消費電力ともいう）を読み出す。
【００５６】
ステップＳ４８では、コントローラは、不揮発性メモリ７５から取得した直前消費電力が所定値（例えば６５０Ｗ）以上であるか否かを判断する。仮に、電力供給ユニット９から給湯システム２に供給される電力の供給元が蓄電池１０４である場合、給湯システム２での消費電力が所定値以上となると、蓄電池１０４の保護回路が作動し、電力供給ユニット９からの電力供給が停止される。逆に、電力供給ユニット９から給湯システム２に供給される電力の供給元が商用電源１０８である場合、給湯システム２での消費電力が所定値以上となっても、電力供給ユニット９からの電力供給が停止されることはない。そこで、本実施例の給湯システム２では、不揮発性メモリ７５から取得した直前消費電力が所定値以上である場合は、電力供給ユニット９から給湯システム２に供給される電力の供給元が蓄電池１０４であると判断する。また、不揮発性メモリ７５から取得した直前消費電力が所定値に満たない場合に、電力供給ユニット９から給湯システム２に供給される電力の供給元が商用電源１０８であると判断する。
【００５７】
なお、例えば夏季など、給湯システム２がそれほど大きな熱量を供給する必要がない場合には、蓄電池１０４が電力の供給元であっても、給湯システム２での消費電力が少なく、保護回路が作動しないことがある。この場合、図２に示す処理では、電力の供給元が蓄電池１０４であるか否かを正確に判定することができない場合がある。そこで、図２に示す処理の代わりに、図４に示す処理のように、ステップＳ４とステップＳ６の間にステップＳ５０を追加し、ステップＳ５０において、コントローラが、給湯システム２の消費電力を一時的に増強させるようにしてもよい。この場合、仮に電力の供給元が蓄電池１０４である場合には、ステップＳ５０で給湯システム２の消費電力を増強させることで、蓄電池１０４の保護回路が作動して、電力供給ユニット９からの電力供給が停止する。その後、電力供給ユニット９からの電力供給が再開すると、不揮発性メモリ７５に記憶されている通電継続時間が短いことから、コントローラは、電力の供給元が蓄電池１０４であると判定する。逆に、電力の供給元が商用電源１０８である場合には、ステップＳ５０で給湯システム２の消費電力を増強させても、電力供給ユニット９からの電力供給が停止することがない。この場合、コントローラは、電力の供給元が商用電源１０８であると判定して、そのままステップＳ６以降の処理を実行する。
【００５８】
同様に、図３に示す処理の代わりに、図５に示す処理のように、ステップＳ４８とステップＳ６の間にステップＳ５０を追加し、ステップＳ５０において、コントローラが、給湯システム２の消費電力を一時的に増強させるようにしてもよい。この場合、仮に電力の供給元が蓄電池１０４である場合には、ステップＳ５０で給湯システム２の消費電力を増強させることで、蓄電池１０４の保護回路が作動して、電力供給ユニット９からの電力供給が停止する。その後、電力供給ユニット９からの電力供給が再開すると、不揮発性メモリ７５に記憶されている直前消費電力が所定値以上であることから、コントローラは、電力の供給元が蓄電池１０４であると判定する。逆に、電力の供給元が商用電源１０８である場合には、ステップＳ５０で給湯システム２の消費電力を増強させても、電力供給ユニット９からの電力供給が停止することがない。この場合、コントローラは、電力の供給元が商用電源１０８であると判定して、そのままステップＳ６以降の処理を実行する。
【００５９】
なお、上記のステップＳ５０での、給湯システム２における消費電力の一時的な増強は、蓄電池１０４の保護回路を作動させることが可能であれば、どのような手法によって行ってもよい。例えば、ＨＰユニット４の加熱能力を最大にして沸き上げ運転を実行することで、給湯システム２の消費電力を一時的に増強してもよい。あるいは、ＨＰユニット４、タンクユニット６およびバーナユニット８が、図示しないヒータ（例えば、配管の凍結防止用のヒータ）を備える場合には、それらのヒータに通電することで、給湯システム２の消費電力を一時的に増強してもよい。
【００６０】
なお、上記の図２−図５のような判定処理を実行するか否かを、ユーザがリモコン７６で選択可能としてもよい。この場合、リモコン７６で判定処理を実行することが選択されている場合には、コントローラは、電力供給ユニット９からの電力供給が停止した状態から、電力供給ユニット９からの電力供給が開始された時に、上記の判定処理を実行する。また、リモコン７６で判定処理を実行することが選択されていない場合には、コントローラは、電力供給ユニット９からの電力供給が停止した状態から、電力供給ユニット９からの電力供給が開始された場合でも、上記の判定処理を実行することなく、通常通りの動作を行う。また、上記の図２−図５のような判定処理を実行している間に、ユーザがリモコン７６で判定処理の中断を指示可能としてもよい。この場合、リモコン７６で判定処理の中断が指示されると、コントローラは、上記の判定処理を中止して、通常通りの動作に復帰する。
【００６１】
上記の図２−図５の判定処理において、実行している処理の内容をリモコン７６に表示する構成としてもよい。例えば、ステップＳ１４やステップＳ３６で燃焼給湯運転を禁止してから、ステップＳ２０やステップＳ４４で燃焼給湯運転を許可するまでの間、リモコン７６に「ガス禁止」と表示する構成としてもよい。および／または、ステップＳ１６でＨＰユニット４の加熱能力を最大加熱能力に設定している間、リモコン７６に「ＨＰ能力最大」と表示する構成としてもよい。および／または、ステップＳ４０でＨＰユニット４の加熱能力を抑制加熱能力に設定している間、リモコン７６に「ＨＰ能力抑制」と表示する構成としてもよい。
【００６２】
上記の図２−図５の判定処理において、電源の種別についての判定結果をリモコン７６に表示する構成としてもよい。同様に、上記の図２−図５の処理において、燃料ガスの供給の有無についての判定結果をリモコン７６に表示する構成としてもよい。
【００６３】
上記の図２、図４の判定処理では、電力供給ユニット９からの電力供給が停止する直前までの電力供給の継続時間に基いて、電力の供給元が商用電源１０８および蓄電池１０４の何れであるかを判定している。これとは異なり、例えば、電力供給ユニット９からの電力供給が停止した状態から、電力供給ユニット９からの電力供給が再開する度に、コントローラが、電力供給ユニット９からの電力供給の開始時刻を不揮発性メモリ７５に記憶していき、電力供給ユニット９からの電力供給の再開が、所定時間（例えば２４時間）の間に所定回数（例えば２回）以上行われている場合に、コントローラが、電力の供給元が蓄電池１０４であると判定するように構成してもよい。
【００６４】
以上のように、本実施例の給湯システム２（熱源装置の一例）は、電力を消費して水（熱媒の一例）を加熱するＨＰユニット４（電気式熱源機の一例）と、不揮発性メモリ７５を備えるコントローラ（制御装置の一例）を備えている。給湯システム２は、電力の供給状況が互いに異なる商用電源１０８または蓄電池１０４である電源から電力を供給されて動作するように構成されている。コントローラは、電源からの電力供給がされている間、給湯システム２への電力の供給状況を不揮発性メモリ７５に記憶するように構成されている。図２−図５に示すように、コントローラは、電源からの電力供給が停止された状態から、電源からの電力供給が開始された時に、不揮発性メモリ７５に記憶されている電力の供給状況に基いて、再開された電力供給の電源が商用電源１０８および蓄電池１０４の何れであるかを判定するように構成されている。
【００６５】
図３、図５に示すように、本実施例の給湯システム２では、給湯システム２への電力の供給状況が、給湯システム２での消費電力を含む。
【００６６】
図２、図４に示すように、本実施例の給湯システム２では、給湯システム２への電力の供給状況が、給湯システム２への電力供給の継続時間を含む。
【００６７】
図４、図５に示すように、本実施例の給湯システム２では、コントローラは、再開された電力供給の電源が蓄電池１０４であると判定されない場合に、給湯システム２での消費電力を増強させるように構成されている。
【００６８】
本実施例の給湯システム２は、燃料ガス（燃料の一例）を消費して水を加熱するバーナ８０（燃料式熱源機の一例）をさらに備えている。図２−図５に示すように、コントローラは、電源からの電力供給が停止された状態から、電源からの電力供給が開始された時に、バーナ８０による水の加熱を実行して、バーナ８０への燃料ガスの供給の有無を判定するように構成されている。
【００６９】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００７０】
本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００７１】
２      ：給湯システム
４      ：ＨＰユニット
６      ：タンクユニット
８      ：バーナユニット
９      ：電力供給ユニット
１０    ：圧縮機
１２    ：凝縮器
１４    ：膨張弁
１６    ：蒸発器
１８    ：循環ポンプ
２０    ：戻りサーミスタ
２２    ：往きサーミスタ
２３    ：外気温度サーミスタ
２４    ：ＨＰコントローラ
３０    ：タンク
３２    ：混合弁
３４    ：バイパス制御弁
３６    ：上部サーミスタ
３７    ：中間部サーミスタ
３８    ：下部サーミスタ
４０    ：給水経路
４２    ：減圧弁
４４    ：入水サーミスタ
４６    ：タンク給水経路
４８    ：タンクバイパス経路
５０    ：逆止弁
５２    ：逆止弁
５４    ：水側水量センサ
５６    ：タンク出湯経路
５８    ：逆止弁
６０    ：湯側水量センサ
６２    ：第１給湯経路
６４    ：混合サーミスタ
６６    ：第２給湯経路
６８    ：給湯出口サーミスタ
７０    ：逆止弁
７２    ：給湯バイパス経路
７４    ：タンクコントローラ
７５    ：不揮発性メモリ
７６    ：リモコン
８０    ：バーナ
８１    ：ガス供給管
８２    ：熱交換器
８４    ：バイパスサーボ
８６    ：水量サーボ
８８    ：湯はり弁
９０    ：バーナ往路
９１    ：水量センサ
９２    ：バーナ復路
９４    ：バーナバイパス経路
９６    ：バーナ給湯サーミスタ
９８    ：湯はり経路
１００  ：バーナコントローラ
１０２  ：分電盤
１０４  ：蓄電池
１０６  ：切替器
１０８  ：商用電源
【図１】
0006484510.tif 000002
【図２】
0006484510.tif 000003
【図３】
0006484510.tif 000004
【図４】
0006484510.tif 000005
【図５】
0006484510.tif 000006